(57)【要約】【課題】操作部を交換可能とする画像処理装置において、操作部が交換された場合であっても、最大消費電力の範囲内で装置を動作させることを、簡易に実現可能とする。【解決手段】所定の機能を追加するオプション部１２７を接続可能に備えるとともに、入力操作機能および表示機能を有する操作部１１０を交換可能に備える画像処理装置１００において、操作部の交換を検知する検知部と、交換後の操作部の消費電流値、および接続されている全てのオプション部の消費電流値の合計電流値を算出する合計電流値演算部と、合計電流値と、該画像処理装置の電流供給値と、を比較する電流値比較部と、電流値比較部による比較結果において、合計電流値が電流供給値を超える場合は、操作部にオプション部の接続解除を促す旨を表示させる表示通知部と、を備える。【選択図】図１
2019005967.tif 000002
【特許請求の範囲】
【請求項１】
所定の機能を追加するオプション部を接続可能に備えるとともに、入力操作機能および表示機能を有する操作部を交換可能に備える画像処理装置において、
前記操作部の交換を検知する検知部と、
交換後の前記操作部の消費電流値、および接続されている全ての前記オプション部の消費電流値の合計電流値を算出する合計電流値演算部と、
前記合計電流値と、該画像処理装置の電流供給値と、を比較する電流値比較部と、
前記電流値比較部による比較結果において、前記合計電流値が前記電流供給値を超える場合は、前記操作部に前記オプション部の接続解除を促す旨を表示させる表示通知部と、を備えることを特徴とする画像処理装置。
【請求項２】
前記検知部による前記操作部の交換の検知後、該画像処理装置の消費電力を低減させる低電力モードへ変更することを特徴とする請求項１に記載の画像処理装置。
【請求項３】
前記表示通知部により前記オプション部の接続解除を促す旨を表示させた後、前記オプション部の接続解除がされていない場合、該画像処理装置の消費電力を低減させる低電力モードへ変更することを特徴とする請求項１または２に記載の画像処理装置。
【請求項４】
前記表示通知部は、前記オプション部のそれぞれの消費電流値を前記操作部に表示させることを特徴とする請求項１から３までのいずれかに記載の画像処理装置。
【請求項５】
前記表示通知部は、接続解除することで前記合計電流値が前記電流供給値内に収まることとなる１の前記オプション部、または、２以上の前記オプション部の組み合わせを表示させることを特徴とする請求項１から４までのいずれかに記載の画像処理装置。
【請求項６】
前記操作部の消費電流値は、前記オプション部の消費電流値とともに該画像処理装置の記憶部に予め記憶されていることを特徴とする請求項１から５までのいずれかに記載の画像処理装置。
【請求項７】
前記操作部の消費電流値は、前記操作部の記憶部に記憶されており、
前記合計電流値演算部は、前記操作部の記憶部から前記消費電流値を取得して、前記合計電流値を算出することを特徴とする請求項１から５までのいずれかに記載の画像処理装置。
【請求項８】
所定の機能を追加するオプション部を接続可能に備えるとともに、入力操作機能および表示機能を有する操作部を交換可能に備える画像処理装置の制御方法において、
前記操作部の交換を検知する検知処理と、
交換後の前記操作部の消費電流値、および接続されている全ての前記オプション部の消費電流値の合計電流値を算出する合計電流値演算処理と、
前記合計電流値と、該画像処理装置の電流供給値と、を比較する電流値比較処理と、
前記電流値比較処理による比較結果において、前記合計電流値が前記電流供給値を超える場合は、前記操作部に前記オプション部の接続解除を促す旨を表示させる表示通知処理と、を行うことを特徴とする画像処理装置の制御方法。
【発明の詳細な説明】
【技術分野】
【０００１】
本発明は、画像処理装置および画像処理装置の制御方法に関する。
【背景技術】
【０００２】
プリンタ、ファクシミリ、スキャナ、複写装置、これらの複合機等の画像処理装置において、操作部としての操作パネルを交換可能に設けたものが知られている（例えば、特許文献１）。特に、近年では、操作パネルにスマートフォンなどの情報処理端末で用いられるＡｎｄｒｏｉｄ（登録商標）などのオペレーションシステムを採用し、様々なアプリケーションを用いた操作等を可能としたものが知られている。
【０００３】
このように、操作パネルにオペレーションシステムを搭載する場合において、オペレーションシステムのバージョンがアップデートされた場合、画像処理装置に搭載されたままでは、これを実行することは困難であるため、バージョンアップ後のオペレーションシステムを採用した操作パネルに交換することが考えられる。
【０００４】
しかしながら、画像処理装置の操作パネルを交換した場合、画像処理装置に装着されている他のオプション構成によっては、画像処理装置の電源の電流供給容量（最大消費電力）を超えてしまう場合も想定され、この場合、画像処理装置の各部の機能が正常に動作できない可能性がある。
【０００５】
電源の電流供給容量を超えないように制御する技術として、特許文献２には、画像を記録媒体に形成する画像形成装置において、種々のデバイスを交換自在に構成するとともに、如何なるデバイスが接続されても、最大消費電力の範囲内で装置を制御できるようにした画像形成装置が開示されている。
【発明の概要】
【発明が解決しようとする課題】
【０００６】
しかしながら、特許文献２の技術は、各デバイスから取得した各消費電力に関する情報に基づいて、各デバイス用の電源をオン／オフ制御することで、装置全体の消費電力が最大定格内に収まるようにする制御するものである。このため、各デバイス用の電源をオン／オフする構成（ハードウェア）を備えている必要があり、制御が複雑であるとともにコストがかかるという問題があった。
【０００７】
そこで本発明は、操作部を交換可能とする画像処理装置において、操作部が交換された場合であっても、最大消費電力の範囲内で装置を動作させることを、簡易に実現可能とする画像処理装置を提供することを目的とする。
【課題を解決するための手段】
【０００８】
かかる目的を達成するため、本発明に係る画像処理装置は、所定の機能を追加するオプション部を接続可能に備えるとともに、入力操作機能および表示機能を有する操作部を交換可能に備える画像処理装置において、前記操作部の交換を検知する検知部と、交換後の前記操作部の消費電流値、および接続されている全ての前記オプション部の消費電流値の合計電流値を算出する合計電流値演算部と、前記合計電流値と、該画像処理装置の電流供給値と、を比較する電流値比較部と、前記電流値比較部による比較結果において、前記合計電流値が前記電流供給値を超える場合は、前記操作部に前記オプション部の接続解除を促す旨を表示させる表示通知部と、を備えるものである。
【発明の効果】
【０００９】
本発明によれば、操作部を交換可能とする画像処理装置において、操作部が交換された場合であっても、最大消費電力の範囲内で装置を動作させることを、簡易に実現可能とすることができる。
【図面の簡単な説明】
【００１０】
【図１】画像処理装置のハードウェア構成の一例を示す図である。
【図２】主制御部の機能構成の一例を示す図である。
【図３】オプション選択画面の一例を示す説明図である。
【図４】画像処理装置の電源起動時における制御の一例を示すフローチャートである。
【図５】画像処理装置のハードウェア構成の他の例を示す図である。
【図６】画像処理装置の電源起動時における制御の他の例を示すフローチャートである。
【発明を実施するための形態】
【００１１】
以下、本発明に係る構成を図１から図６に示す実施の形態に基づいて詳細に説明する。
【００１２】
［第１の実施形態］
本実施形態に係る画像処理装置は、所定の機能を追加するオプション部（オプション部１２７）を接続可能に備えるとともに、入力操作機能および表示機能を有する操作部（操作部１１０）を交換可能に備える画像処理装置（画像処理装置１００）において、操作部の交換を検知する検知部（検知部１３０）と、交換後の操作部の消費電流値、および接続されている全てのオプション部の消費電流値の合計電流値を算出する合計電流値演算部（合計電流値演算部１３１）と、合計電流値と、該画像処理装置の電流供給値と、を比較する電流値比較部（電流値比較部１３２）と、電流値比較部による比較結果において、合計電流値が電流供給値を超える場合は、操作部にオプション部の接続解除を促す旨を表示させる表示通知部（表示通知部１３３）と、を備えるものである。なお、括弧内は実施形態での符号、適用例を示す。
【００１３】
（画像処理装置の構成）
図１は、画像処理装置１００のハードウェア構成の一例を示す図である。画像処理装置１００は、本体部１２０と、本体部１２０に対して着脱可能に設けられた操作部１１０と、で構成される。操作部１１０を本体部１２０に装着した際、操作部１１０の制御部１１１と、本体部１２０の主制御部１２１とは、実線で示す通信ライン１０１、および点線で示す電源ライン１０２で接続される。
【００１４】
操作部１１０は、制御部１１１、および表示操作部１１２等を有し、制御部１１１は、本体部１２０の主制御部１２１との各種の通信を行うとともに、表示操作部１１２への表示制御、および操作入力内容に基づく各種制御を行う。
【００１５】
制御部１１１は、ＣＰＵ（Central  Processing  Unit）、ＲＯＭ（Read Only Memory）、ＲＡＭ（Random  Access  Memory）等がバスを介して相互に接続されている。ＣＰＵは、操作部１１０の動作を統括的に制御する。また、ＣＰＵは、ＲＡＭを作業領域としてＲＯＭ等に格納されたＯＳ（Operating  System）および各種アプリケーションプログラムを実行することで各種の機能を実現する。また、ＲＯＭ等の補助記憶部には、操作部１１０のＩＤ情報が記憶されている。
【００１６】
表示操作部１１２は、タッチパネル機能を備えた液晶表示装置（ＬＣＤ）又は有機ＥＬ表示装置等で形成され、ユーザが画像処理装置１００を使用する際のインターフェース部である。表示操作部１１２は入力操作機能および表示機能を備えている。
【００１７】
本体部１２０は、主制御部１２１、読み取り部１２２、書き込み部１２３、給紙部１２４、定着部１２５、および電源供給部１２６等を有する。また、主制御部１２１に対して複数のオプション部１２７（１２７−１〜１２７−ｎ）が接続可能に構成されており、所望の機能を画像処理装置１００に追加可能となっている。
【００１８】
主制御部１２１は画像処理装置１００の全体を制御する。主制御部１２１は、各構成要素の動作制御を行う。
【００１９】
主制御部１２１は、ＣＰＵ、ＲＯＭ、ＲＡＭ、ＨＤＤ（Hard  Disk  Drive）等がバスを介して相互に接続されている。ＣＰＵは、本体部１２０の動作を統括的に制御する。また、ＣＰＵは、ＲＡＭを作業領域としてＲＯＭ、ＨＤＤ等の補助記憶部１２１ａに格納されたＯＳおよび各種アプリケーションプログラムを実行することで各種の機能を実現する。
【００２０】
主制御部１２１の補助記憶部１２１ａには、操作部１１０の動作に必要な電流値（消費電流値、操作部の電流値ともいう）、各オプション部１２７の動作に必要な電流値（消費電流値、オプション部の電流値ともいう）、および電源制御部の電流供給能力値（最大定格値、単に電流供給値ともいう）を記憶している。本実施形態では、交換後の操作部１１０の消費電流値については、本体部１２０の主制御部１２１のソフトウェアのバージョンアップにより、予め補助記憶部１２１ａに記憶させておく。すなわち、補助記憶部１２１ａには、画像処理装置１００に接続される可能性のある操作部１１０やオプション部１２７の消費電流値が記憶される。
【００２１】
読み取り部１２２は、原稿の画像をスキャンして画像処理装置１００にデータとして取り込むスキャナ機能を実現させるための、汎用的な情報処理および通信以外の処理を行うハードウェアである。
【００２２】
書き込み部１２３は、用紙等の記録媒体に印刷を行うプロッタ機能を実現させるための、汎用的な情報処理および通信以外の処理を行うハードウェアである。
【００２３】
給紙部１２４は、給紙トレイに収容された用紙を書き込み部１２３に搬送する給紙装置である。また、印刷済みの用紙を仕分けるフィニッシャや、および原稿を自動給送するＡＤＦ（自動原稿給送装置）を備えるものであってもよい。
【００２４】
定着部１２５は、書き込み部１２３にて画像形成がされた用紙にトナー像を定着させる定着装置である。なお、本実施形態では、画像処理装置１００は、電子写真方式により画像を形成する装置を例に説明するが、これに限られるものではなく、例えば、インクジェット方式により画像を形成する装置等、他の方式によるものであってもよい。
【００２５】
電源供給部１２６は、電源から本体部１２０の各部および操作部１１０へ電力を供給する。
【００２６】
オプション部１２７としては、例えば、ＵＳＢメモリや、ＳＤカードメモリなどのメディアの装着部、ファクシミリ通信を行うＦＡＸモジュール、ネットワークサーバ等が接続可能である。接続されたオプション部１２７には、電源供給部１２６より電力が供給されるととともに、主制御部１２１によりその動作が制御される。
【００２７】
なお、画像処理装置１００の各プログラムは、インストール可能な形式又は実行可能な形式のファイルでＣＤ−ＲＯＭ、フレキシブルディスク（ＦＤ）等のコンピュータ装置で読み取り可能な記録媒体に記録して提供してもよい。また、各プログラムは、ＣＤ−Ｒ、ＤＶＤ、ブルーレイディスク（登録商標）、半導体メモリ等のコンピュータ装置で読み取り可能な記録媒体に記録して提供してもよい。また、各プログラムを、インターネット等のネットワーク経由で提供してもよい。また、各プログラムを、予めＲＯＭ等に組み込んで提供してもよい。
【００２８】
図２は、画像処理装置１００の主制御部１２１の機能構成の一例を示す図である。主制御部１２１は、操作部１１０の交換を検知する検知部１３０と、交換後の操作部１１０の消費電流値、および接続されている全てのオプション部１２７の消費電流値の合計電流値を算出する合計電流値演算部１３１と、合計電流値と、該画像処理装置の電流供給値と、を比較する電流値比較部１３２と、電流値比較部１３２による比較結果において、合計電流値が電流供給値を超える場合は、操作部１１０にオプション部１２７の接続解除を促す旨を表示させる表示通知部１３３と、を備える。
【００２９】
（画像処理装置の制御）
次いで、本実施形態に係る画像処理装置１００の制御について説明する。操作部１１０が本体部１２０に接続されると、検知部１３０は操作部１１０が接続されたことを検知する。また、オプション部１２７が接続された際も、同様に検知部１３０がこれを検知する。
【００３０】
操作部１１０の交換は、例えば、主制御部１２１が通信ライン１０１を介して、操作部１１０が有する固有のＩＤ情報（操作部ＩＤという）を参照し、これが変更になっている場合は、検知部１３０は操作部１１０が交換されたことを検知する。操作部１１０の交換は電源がオフの状態でなされるため、例えば、画像処理装置１００の起動時において、検知部１３０は、操作部ＩＤを参照し、これを取得するものであればよい。
【００３１】
また、オプション部１２７の構成も同様に、例えば、各オプション部１２７はオプションＩＤを記憶しており、検知部１３０が通信ラインを介して、オプションＩＤを認識することで、現在接続中のオプション部１２７を認識することができる。
【００３２】
検知部１３０が、操作部１１０が交換されたことを検知した場合、合計電流値演算部１３１は、この操作部１１０の操作部ＩＤに基づいて、補助記憶部１２１ａに記憶されている当該操作部１１０についての消費電流値を取得する。同様に、接続されているすべてのオプション部１２７についての消費電流値を取得する。
【００３３】
そして、合計電流値演算部１３１は、操作部１１０およびオプション部１２７の消費電流値の合計電流値を算出する。また、電流値比較部１３２は、算出した合計電流値と、補助記憶部１２１ａに記憶されている電源供給部１２６の電流供給能力値と、を比較し、現在のオプション構成で、電流供給能力値を超過してしまうか否か（すなわち、電流が不足するか否か）を判断する。
【００３４】
具体的には、電流供給能力値から合計電流値を引いて電流差を算出し、この電流差がプラス値である場合は、電流は不足しない状態であるため、このまま使用開始することができる。一方、電流差がマイナス値である場合は、電流が不足する状態になるため、表示通知部１３３は、オプション選択画面を、操作部１１０の表示操作部１１２に表示させる。
【００３５】
図３は、オプション選択画面の一例を示す説明図である。オプション選択画面には、接続されているオプション部１２７と、それぞれ必要な電流値の一覧が表示されるとともに、チェックしたオプション使用時の不足分の電流値が表示されている。このとき、取り外すことで、電流供給能力値内に収めることができるオプション部１２７の組み合わせを表示することが好ましい。これにより、ユーザやサービスマンは、チェックボックスの選択内容を変更することで、オプション部１２７を所望のオプション構成とするとともに、電流供給能力値内に収めるようにことができる。なお、操作部１１０は必須の構成であるので、オプション選択画面では、オプション部１２７の内で必要としないものについての取り外しを促すものである。また、所定のオプション構成の変更は、装置の電源をオフにした状態で実行する旨を表示する。
【００３６】
このようにオプション選択画面を、操作部１１０の表示操作部１１２に表示させることで、ユーザ等に、電流が不足している状態になるとともに、一部のオプション部１２７の取り外しを促すようにしている。ユーザ等は、必要なオプション構成として、交換後の操作部１１０を電流供給能力値内で使用することが可能となる。
【００３７】
ここで、画像処理装置１００が操作部１１０の交換を検知した後、消費電流の合計電流値を算出し、電流供給能力値内に収まっているかを判定している間は、主制御部１２１は、電源供給部１２６を制御して、本体部１２０の消費電力を低減させる動作モード（低電力モード）で動作させることが好ましい。これにより、この一連の動作中も、電流供給能力値内に収めることで、誤動作、故障等を防止することができる。なお、低電力モードは、例えば、画像処理装置１００の各部を制御する信号（クロック信号）の周波数を低くすることで実現される。
【００３８】
また、オプション選択画面において、ユーザ等が所定のオプション部１２７の取り外しを設定した後に、該当のオプション部１２７が取り外されていない場合も、低電力モードで動作させることが好ましい。これにより、ユーザ等がオプション選択画面において選択しなかったオプション部１２７を取り外さなかった場合であっても、電流供給能力値内に収めることで、誤動作、故障等を防止することができる。
【００３９】
（画像処理装置の電源起動時の処理フロー）
ここまで説明した画像処理装置１００の電源起動時における制御を図４に示すフローチャートを参照して説明する。図４は、画像処理装置の起動時の制御フローチャートである。
【００４０】
先ず、ユーザによるオプション選択後の電源オンであるかを判断し（Ｓ１０１）、そうである場合（Ｓ１０１：Ｙｅｓ）は、接続されているオプション部１２７を検知する（Ｓ１０２）。次いで、補助記憶部１２１ａに記憶されているオプション構成と、検知内容とが一致しているかどうかを判断し（Ｓ１０３）、一致している場合（Ｓ１０３：Ｙｅｓ）は、通常起動する（Ｓ１０４）。一方、一致していない場合（Ｓ１０３：Ｎｏ）は、上述のユーザ等が所定のオプション部１２７の取り外しを設定した後に、該当のオプション部１２７が取り外されていない場合に該当するため、低電力モードで起動し（Ｓ１０５）、選択されたオプション構成と実際に接続されているオプション構成が一致していない旨を表示操作部１１２に表示させる（Ｓ１０６）。
【００４１】
これに対し、ユーザによるオプション選択後の電源オンでない場合（Ｓ１０１：Ｎｏ）は、操作部ＩＤを確認する（Ｓ１０７）。操作部ＩＤの変更がされている場合（操作部１１０が交換されている場合）は（Ｓ１０８：Ｙｅｓ）、低電力モードで起動し（Ｓ１０９）、交換後の操作部１１０の消費電流値を取得する（Ｓ１１０）。
【００４２】
次いで、接続されているオプション部１２７を検知し（Ｓ１１１）、各オプション部１２７の消費電流値を補助記憶部１２１ａから取得する（Ｓ１１２）。また、電流供給能力値を取得し（Ｓ１１３）、電流供給能力値と、操作部１１０およびオプション部１２７の消費電力の合計電流値との差を算出する（Ｓ１１４）。
【００４３】
一方、操作部ＩＤの変更がされていない場合（操作部１１０が交換されていない場合）は（Ｓ１０８：Ｎｏ）、通常起動する（Ｓ１２０）。
【００４４】
合計電流値が電流供給能力値よりも大きい場合（Ｓ１１５：Ｙｅｓ）は、オプション選択画面を表示操作部１１２に表示させる（Ｓ１１６）。そして、ユーザによるオプションの選択の完了後（Ｓ１１７）、選択されたオプション構成を記憶して（Ｓ１１８）、画像処理装置１００の電源をオフするように、表示操作部１１２に表示させる（Ｓ１１９）。
【００４５】
一方、合計電流値が電流供給能力値よりも小さい場合は（Ｓ１１５：Ｎｏ）、通常起動する（Ｓ１２１）。
【００４６】
以上説明した本実施形態に係る画像処理装置１００は、操作部１１０が交換されたことを検知した際に、オプション構成を確認して、交換された操作部１１０とオプション部１２７を含めた合計の電流容量を算出し、本体の電源の供給能力に対して不足するか否かを判断して、不足する場合は、不足分に相当するオプション部を取り外すことをユーザ等に表示操作部１１２から通知する。
【００４７】
よって、操作部１１０が交換されることで、本体の電源の供給能力を超えてしまう場合であっても、電源の供給能力内で画像処理装置１００を使用できるようにしている。このとき操作部１１０の交換検知は、例えば、操作部ＩＤを参照することでなされるものであり、操作部交換を検知するためにハードウェアは追加する必要がなく、簡易かつコストアップとならずに、上記の効果を得ることができる。
【００４８】
［第２の実施形態］
以下、本発明に係る画像処理装置の他の実施形態について説明する。なお、上記実施形態と同様の点についての説明は適宜省略する。
【００４９】
第１の実施形態では、画像処理装置１００の本体側の主制御部１２１がソフトウェアのバージョンアップにより、接続される可能性のある操作部１１０の消費電流値を予め取得しておく例について説明したが、第２の実施形態では、操作部１１０側から消費電流値を主制御部１２１に通知して、主制御部１２１の補助記憶部１２１ａにこれを記憶するものである。
【００５０】
図５は、画像処理装置１００のハードウェア構成の他の例を示す図である。この画像処理装置１００では、操作部１１０の制御部１１１の補助記憶部１１１ａに、操作部ＩＤとともに、該操作部１１０の消費電流値が記憶されている。主制御部１２１が消費電流値を取得する際、操作部１１０から消費電流値が通知される。
【００５１】
（画像処理装置の電源起動時の処理フロー）
第２の実施形態に係る画像処理装置１００の電源起動時における制御を図６に示すフローチャートを参照して説明する。図６は、画像処理装置の起動時の制御フローチャートである。
【００５２】
Ｓ２０１〜２０９の各処理は、第１の実施形態の処理と同様である。低電力モードで起動した後（Ｓ２０９）、主制御部１２１は、操作部１１０の制御部１１１に対して、消費電流値を要求する（Ｓ２１０）。これを受けた制御部１１１は、補助記憶部１１１ａから消費電流値を取得し（Ｓ２１１）、これを主制御部１２１へ通知する（Ｓ２１２）。主制御部１２１は、消費電流値を補助記憶部１２１ａに記憶する（Ｓ２１３）。以後、Ｓ２１４〜Ｓ２２５の各処理は、第１の実施形態の処理と同様である。
【００５３】
以上説明した第２の実施形態の画像処理装置１００では、操作部１１０の消費電流値を、主制御部１２１の補助記憶部１２１ａに予め記憶しておく必要がなく、このためのソフトウェアのバージョンアップを不要とすることができる。
【００５４】
尚、上述の実施形態は本発明の好適な実施の例ではあるがこれに限定されるものではなく、本発明の要旨を逸脱しない範囲において種々変形実施可能である。
【符号の説明】
【００５５】
１００  画像処理装置
１０１  通信ライン
１０２  電源ライン
１１０  操作部
１１１  制御部
１１１ａ  補助記憶部
１１２  表示操作部
１２０  本体部
１２１  主制御部
１２１ａ  補助記憶部
１２２  読み取り部
１２３  書き込み部
１２４  給紙部
１２５  定着部
１２６  電源供給部
１２７  オプション部
１３０  検知部
１３１  合計電流値演算部
１３２  電流値比較部
１３３  表示通知部
【先行技術文献】
【特許文献】
【００５６】
【特許文献１】特開２００２−３６１９７１号公報
【特許文献２】特開２００４−１０６４５６号公報
【図１】
2019005967.tif 000003
【図２】
2019005967.tif 000004
【図３】
2019005967.tif 000005
【図４】
2019005967.tif 000006
【図５】
2019005967.tif 000007
【図６】
2019005967.tif 000008